(57)【要約】【課題】ドア開閉時と製氷装置の動作は各々独立して動作しているため、製氷皿に水を注水中、及び氷搬送モータが動作中、手などが巻き込まれないように使用者が注視しなければならない、またドア開時に製氷皿への水の注水を停止した場合は、氷の大きさが所定サイズより小さくなり、氷の大きさの品位を損なうという課題を有していた。【解決手段】使用者がドアを開けた場合に、製氷装置７の離氷モータ１１、製氷皿に水を注水制御する取水バルブ１４、氷搬送器２１で氷を所定位置まで搬送する氷搬送モータ２３を一時停止制御することにより、安全に庫内の食材を取り出すことができる、また取水バルブ１４を一時停止し、再開した時に残時間を追加給水するため、ドアの開閉により氷の大きさを変えることなく品位の良い氷を製造できる冷蔵庫を提供する。【選択図】図１
2011106713.tif 000002
【特許請求の範囲】
【請求項１】
冷蔵庫本体と、前記冷蔵庫庫内の前面に設けられたドアと、前記ドアの開閉を検知し開閉信号を出力するドア開閉検知手段と、前記ドアに氷を自動で製氷する製氷機と貯まった氷を排出する排出機で構成された製氷装置を備えた冷蔵庫で、水を受ける製氷皿と、前記製氷皿の水が氷に凝固した温度を検知する前記製氷皿に取り付けた温度検知手段と、前記温度検知手段から検知した温度により、前記製氷皿を回転させる離氷モータと、前記製氷皿の氷を離氷後に前記製氷皿に水の供給を制御する取水バルブで構成された製氷機を備え、前記ドア開閉検知手段の開信号にて前記離氷モータ及び前記取水バルブが一時停止、前記ドア開閉検知手段の閉信号にて前記取水バルブが再開することを特徴とする冷蔵庫。
【請求項２】
前記取水バルブは市水と接続し、冷蔵庫下部より水道用パイプを経由して注ぎ口より前記製氷皿に給水し、前記取水バルブの再開時に給水時間を給水の残時間より前記注ぎ口の死水分短くしたことを特徴とする請求項１に記載の冷蔵庫。
【請求項３】
前記製氷機で蓄えられた氷を排出、及び破砕するための氷搬送器と、前記氷搬送器を駆動する氷搬送モータで構成された氷搬送装置を備え、前記ドア開閉検知手段の開信号にて前記氷搬送装置を一時停止することを特徴とする請求項１または２に記載の冷蔵庫。
【発明の詳細な説明】
【技術分野】
【０００１】
本発明は、冷蔵庫のドアに製氷装置を取り付けたもので、ドア開時に製氷機の取水用バルブと離氷モータと氷搬送モータを一時停止する制御を行う冷蔵庫に関するものである。
【背景技術】
【０００２】
従来の冷蔵庫の断面図を図８に示す。図８において、冷蔵庫本体３１の前面には各貯蔵室用のドアがあり、冷凍室ドア３２、冷蔵室ドア３３がレイアウトされている。冷蔵庫本体３１の庫内には、ドアの開閉状態を検知するドア開閉検知手段３４と、氷を自動で製氷する製氷機３５と貯まった氷を排出する排出機３６で構成された製氷装置が冷蔵室ドア３３に配置されている。そして、ドア開閉検知手段３４と製氷機３５・排出機３６の動作は各々独立に動作している（例えば、特許文献１参照）。
【先行技術文献】
【特許文献】
【０００３】
【特許文献１】欧州特許出願公開第１５５９９７２号明細書
【発明の概要】
【発明が解決しようとする課題】
【０００４】
しかしながら、前記従来の構成では、ドア開閉時と製氷装置の動作は各々独立して動作しているため、製氷皿に水を注水中、及び氷搬送モータが動作中、手などが巻き込まれないように使用者が注視しなければならない、またドア開時に製氷皿への水の注水を停止した場合は、氷の大きさが所定サイズより小さくなり、氷の大きさの品位を損なうという課題を有していた。
【０００５】
本発明は、前記従来の課題を解決するもので、ドアが開時は、製氷装置の製氷機の離氷モータ、製氷皿に水を注水制御する取水バルブ、氷搬送器で氷を所定位置まで搬送する氷搬送モータを一時停止制御することにより、使用者がドアを開けた場合に各アクチュエータが動作していないため、製氷装置に注視することなく安全に庫内の食材を手に持つことができる、また取水バルブを一時停止し、再開した時に残時間を追加給水するため、ドアの開閉により氷の大きさを変えることなく品位の良い氷を製造できる冷蔵庫を提供することを目的とする。
【課題を解決するための手段】
【０００６】
前記従来の課題を解決するために、冷蔵庫本体と、前記冷蔵庫庫内の前面に設けられたドアと、前記ドアの開閉を検知し開閉信号を出力するドア開閉検知手段と、前記ドアに氷を自動で製氷する製氷機と貯まった氷を排出する排出機で構成された製氷装置を備えた冷蔵庫で、水を受ける製氷皿と、前記製氷皿の水が氷に凝固した温度を検知する前記製氷皿に取り付けた温度検知手段と、前記温度検知手段から検知した温度により、前記製氷皿を回転させる離氷モータと、前記製氷皿の氷を離氷後に前記製氷皿に水の供給を制御する取水バルブで構成された製氷機を備え、前記ドア開閉検知手段の開信号にて前記離氷モータ及び前記取水バルブが一時停止、前記ドア開閉検知手段の閉信号にて前記取水バルブが再開する。
【０００７】
本構成によって、使用者がドアを開けた場合に、取水バルブの動作が一時停止しているため、使用者は製氷装置に注視することなく安全に庫内の食材を手に持つことができる、また取水バルブを一時停止し、再開した時に残時間を追加給水するため、ドアの開閉により氷の大きさを変えることなく品位の良い氷を提供できる。
【０００８】
また、本発明の冷蔵庫は、前記製氷機で蓄えられた氷を排出、及び破砕するための氷搬送器と、前記氷搬送器を駆動する氷搬送モータで構成された氷搬送装置を備え、前記ドア開閉検知手段の開信号にて前記氷搬送装置を一時停止することで、使用者がドアを開けた場合に、氷搬送モータの動作が一時停止しているため、使用者は前記製氷装置に注視することなく安全に庫内の食材を手に持つことができる。
【発明の効果】
【０００９】
本発明の冷蔵庫は、ドアが開時した場合、製氷装置の製氷機の離氷モータ、製氷皿に水を注水制御する取水バルブ、氷搬送器で氷を所定位置まで搬送する氷搬送モータを一時停止制御することにより、使用者がドアを開けた場合にアクチュエータが動作していないため、製氷装置に注視することなく安全に庫内の食材を手に持つことができる、また取水バルブを一時停止し、再開した時に残時間を追加給水するため、ドアの開閉により氷の大きさを変えることなく品位の良い氷を製造できる。
【図面の簡単な説明】
【００１０】
【図１】本発明の実施の形態１における冷蔵庫の正面図
【図２】本発明の実施の形態１における冷蔵庫の製氷機の構成図
【図３】本発明の実施の形態１における冷蔵庫の製氷機の制御ブロック図
【図４】本発明の実施の形態１における冷蔵庫の製氷機の制御フローチャート
【図５】本発明の実施の形態１における冷蔵庫の排出機の構成図
【図６】本発明の実施の形態２における冷蔵庫の排出機の制御ブロック図
【図７】本発明の実施の形態２における冷蔵庫の排出機の制御フローチャート
【図８】従来の冷蔵庫の断面図
【発明を実施するための形態】
【００１１】
請求項１に記載の発明は、冷蔵庫本体と、前記冷蔵庫庫内の前面に設けられたドアと、前記ドアの開閉を検知し開閉信号を出力するドア開閉検知手段と、前記ドアに氷を自動で製氷する製氷機と貯まった氷を排出する排出機で構成された製氷装置を備えた冷蔵庫で、水を受ける製氷皿と、前記製氷皿の水が氷に凝固した温度を検知する前記製氷皿に取り付けた温度検知手段と、前記温度検知手段から検知した温度により、前記製氷皿を回転させる離氷モータと、前記製氷皿の氷を離氷後に前記製氷皿に水の供給を制御する取水バルブで構成された製氷機を備え、前記ドア開閉検知手段の開信号にて前記離氷モータ及び前記取水バルブが一時停止、前記ドア開閉検知手段の閉信号にて前記取水バルブが再開する。
【００１２】
使用者がドアを開けた場合に、取水バルブの動作が一時停止しているため、使用者は製氷装置に注視することなく安全に庫内の食材を手に持つことができる、また取水バルブを一時停止し、再開した時に残時間を追加給水するため、ドアの開閉により氷の大きさを変えることなく品位の良い氷を提供できる。
【００１３】
請求項２に記載の発明は、特に請求項１の発明において、前記取水バルブは市水と接続し、冷蔵庫下部より水道用パイプを経由して注ぎ口より前記製氷皿に給水し、前記取水バルブの再開時に給水時間を給水の残時間より前記注ぎ口の死水分短くしたことにより、ドア開閉による給水の一時停止による注ぎ口に滞留した水が製氷皿に多く入る分を少なくして給水できるので、ドアの開閉により氷の大きさを変えることなく品位の良い氷を提供できる。
【００１４】
請求項３に記載の発明は、特に請求項１または２の発明において、前記製氷機で蓄えられた氷を排出、及び破砕するための氷搬送器と、前記氷搬送器を駆動する氷搬送モータで構成された氷搬送装置を備え、前記ドア開閉検知手段の開信号にて前記氷搬送装置を一時
停止するため、使用者がドアを開けた場合に、氷搬送モータの動作が一時停止しているため、使用者は前記製氷装置に注視することなく安全に庫内の食材を手に持つことができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における冷蔵庫の正面図で、冷凍室ドア２が開いた状態を示す。図１において、冷蔵庫本体１の前面には各貯蔵室用のドアがあり、冷凍室ドア２、冷蔵室ドア３がレイアウトされている。冷蔵室ドア３の中央部付近には操作基板４が設けられている。
【００１７】
また、冷蔵庫本体１の庫内には、ドアの開閉状態を検知するドア開閉検知手段６と、庫内の照明を行う庫内灯５が配置されている。
【００１８】
また、氷を自動で製氷する製氷機８と貯まった氷を排出する排出機９で構成された製氷装置７が、冷凍室ドア２に配置されている。１４は取水バルブで、水道の蛇口とウォータタンクを介して直結され、水道用パイプ１３を経由して注ぎ口１５に接続され、所定の水量を注ぎ口１５から製氷皿に注水される。
【００１９】
尚、ドアのレイアウトは代表的なものであって、このレイアウトに限定されるものではない。
【００２０】
図２は、製氷機８の構成図である。図２において、１０は製氷皿で水を受ける構造となっている。１１は離氷モータであり、製氷皿１０と接続し使用する。１２は温度検知手段であり、製氷皿１０の温度を検知しており、冷蔵庫本体の冷凍機能により、製氷皿に受けている水が氷に凝固した温度を検知する。
【００２１】
離氷モータ１１は、温度検知手段１２が製氷皿１０に受けた水が氷に凝固したと判断したら、製氷皿１０を回転させ、製氷皿１０の氷を剥がし落とす動作を行う。
【００２２】
以上のように構成された冷蔵庫について、以下その動作、作用を説明する。
【００２３】
図３は、本発明の実施の形態１における冷蔵庫の製氷機の制御ブロック図である。
【００２４】
図３において、制御装置１６は、ドア開閉検知手段６と接続されており、ドア開閉の状態を検知することができる。
【００２５】
また制御装置１６は、製氷皿１０の温度を検知する温度検知手段１２と接続されており、製氷皿１０の水が氷に凝固する温度を検知したら、制御装置１６からモータ駆動手段１８を介して離氷モータ１１を動作させ、製氷皿１０の氷を剥がし落とす動作を行う。
【００２６】
また制御装置１６は、製氷皿１０の氷を離氷モータ１１で離氷後に製氷皿１０に水の供給を制御する取水バルブ１４を、バルブ駆動手段１９を介して制御する。
【００２７】
また、制御装置１６、取水バルブ１４及び離氷モータ１１は、電源１７から電力を供給している。
【００２８】
図４の本発明の実施の形態における冷蔵庫の製氷機の制御フローチャートにより動作の
説明を行う。
【００２９】
ステップ０は、冷蔵庫本体１の冷却動作をおこなうメイン制御フローである。
【００３０】
ステップ１は、製氷皿１０の温度検知手段からの検知温度がＸ℃以下であれば氷の状態であるため、ステップ２へ、Ｘ℃以上ならば水の状態のためステップ３へ移行する。
【００３１】
ステップ２では、製氷皿１０の氷を離氷するため離氷モータ１１を動作させる。
【００３２】
ステップ３では、製氷皿１０が氷になっていないため離氷モータを停止状態にする。
【００３３】
ステップ４で、冷凍室のドア２があいている状態なら、Ｙｅｓとなり離氷モータ１１一時停止、所定の離氷の動作時間をカウントする離氷タイマを一時停止し、ステップ７へ移行する。また、冷凍室のドア２があいていない状態なら、Ｎｏとなりステップ５へ移行し離氷モータ１１を駆動、離氷タイマを再開し、ステップ７へ移行する。
【００３４】
ステップ７では、離氷モータ１１の駆動する離氷タイマが所定のカウントになったなら、製氷皿１０の氷が離氷されたため離氷完了となりステッップ８へ移行する。また離氷タイマが所定のカウントに満たなかったら、離氷中のためステップ４へ移行する。
【００３５】
ステップ８からは、次の製氷動作行うため給水へ移行する。
【００３６】
水道水パイプ１３と取水バルブ１４を介して注ぎ口１５から所定水量の水を製氷皿１０に注ぐため、取水バルブ１４を開状態の時間をカウントする給水タイマを動作させる。
【００３７】
ステップ９は、ドアあいていればＹｅｓとなり、ステップ１０へ移行する。ドアがあいていなければ、Ｎｏとなり、ステップ１１へ移行する。
【００３８】
ステップ１０では、冷凍室ドア２が開の状態であるため、給水動作を行うため取水バルブ１４を閉状態で給水タイマのカウントを一時停止し、ステップ１２へ移行する。
【００３９】
ステップ１１では、冷凍室ドア２が閉の状態であるため、給水動作を行うため取水バルブ１４を開状態の給水タイマをカウントし、ステップ１２へ移行する。
【００４０】
ステップ１２は、給水タイマが所定の時間であれば、Ｙｅｓとなり、メイン制御フローのステップ０に移行する。また給水タイマが所定の時間に達していなければＮｏとなり、ステップ９へ移行する。
【００４１】
以上のように、本実施の形態においては、ドア開閉検知手段６の開信号にて、取水バルブ１４、離氷モータ１１が一時停止するため、使用者がドアを開けた場合に、取水バルブ１４、離氷モータ１１の動作が一時停止しているため、使用者は製氷装置７に注視することなく安全に庫内の食材を手に持つことができる、また取水バルブ１４を一時停止し、再開した時に残時間を追加給水するため、ドアの開閉により氷の大きさを変えることなく品位の良い氷を製造できる。
【００４２】
また、取水バルブ１４の再開時に給水時間を給水の残時間より注ぎ口１５の死水分短くしても良い。これによって、ドア開閉による給水の一時停止による注ぎ口１５に滞留した水が製氷皿に多く入る分を少なくして給水できるので、ドアの開閉により氷の大きさを変えることなく品位の良い氷を提供できる。
（実施の形態２）
図５は、本発明の実施の形態２における冷蔵庫の排出機９の構成図である。
【００４３】
２０は押しレバーで押されることにより、製氷機８で生成した氷を、製氷機８の下部に設定された氷搬送器２２と氷搬送モータ２３で構成された氷搬送装置２１で氷蓋２４に搬送、氷蓋モータ２５を駆動することで氷蓋２４を開状態とし、氷を外に排出する。
【００４４】
以上のように構成された冷蔵庫について、以下その動作、作用を説明する。
【００４５】
図６は、本発明の実施の形態２における冷蔵庫の排出機の制御ブロック図である。
【００４６】
図６において、制御装置１６は、押しレバー２０と接続されており、押しレバー２０の状態を検知することができる。また制御装置１６は押しレバー２０が押されることにより、モータ駆動手段２６を介して氷搬送モータ２３を駆動し、複数の氷を氷搬送器２２で回転することにより、氷蓋２４まで搬送する。次にモータ駆動手段２７を介して氷蓋モータ２５を駆動し、氷蓋２４を開閉動作させる。
【００４７】
図７の本発明の実施の形態２における冷蔵庫の排出機の制御フローチャートにより動作の説明を行う。
【００４８】
ステップ０は、冷蔵庫本体１の冷却動作をおこなうメイン制御フローである。
【００４９】
ステップ１では、製氷装置７の排出機９の押しレバー２０が押されたかを判断する。押しレバー２０が押されていればＹｅｓとなり、ステップ４へ移行する。押しレバー２０押されていなければ、Ｎｏとなりステップ２へ移行する。
【００５０】
ステップ２では、押しレバー２０が押されていない状態であるため、氷搬送モータ２３を停止する。
【００５１】
ステップ３では、押しレバー２０が押されていない状態であるため、氷蓋モータ２５を駆動し、氷蓋２４を閉の状態にする。
【００５２】
ステップ４で、押しレバー２０が押された状態であるため、氷搬送モータ２３を駆動し、製氷機８で生成した氷を氷蓋２４まで搬送する。
【００５３】
ステップ５では、押しレバーが押された状態であるため、氷蓋モータ２５を駆動し、氷蓋２４を開の状態とし、氷がコップに入る。
【００５４】
ステップ６では、冷凍室のドア２があいていないならば、Ｎｏとなりメイン制御フローのステップ０へ移行する。また冷凍室のドア２があいているならば、Ｙｅｓとなり氷搬送モータ２３を一時停止する。また冷凍室のドア２が閉まれば、再び氷搬送モータ２３は駆動することになる。
【００５５】
以上のように、本実施の形態においては、使用者がドアを開けた場合に、氷搬送モータ２３の動作が一時停止しているため、使用者は製氷装置に注視することなく安全に庫内の食材を手に持つことができる。
【産業上の利用可能性】
【００５６】
本発明にかかる冷蔵庫は、ドアが開時した場合、製氷装置の製氷機の離氷モータ、製氷皿に水を注水制御する取水バルブ、氷搬送器の氷を所定位置まで搬送する氷搬送モータを一時停止制御することにより、使用者がドアを開けた場合に各アクチュエータが動作して
いないため、製氷装置に注視することなく安全に庫内の食材を手に持つことができる、また取水バルブを一時停止し、再開した時に残時間を追加給水するため、ドアの開閉により氷の大きさを変えることなく品位の良い氷を製造できるので、各種貯蔵庫等の他制御にも応用できるものである。
【符号の説明】
【００５７】
１  冷蔵庫本体
２  冷凍室ドア
３  冷蔵室ドア
６  ドア開閉検知手段
７  製氷装置
８  製氷機
９  排出機
１０  製氷皿
１１  離氷モータ
１２  温度検知手段
１３  水道用パイプ
１４  取水バルブ
１５  注ぎ口
２１  氷搬送装置
２２  氷搬送器
２３  氷搬送モータ
【図１】
2011106713.tif 000003
【図２】
2011106713.tif 000004
【図３】
2011106713.tif 000005
【図４】
2011106713.tif 000006
【図５】
2011106713.tif 000007
【図６】
2011106713.tif 000008
【図７】
2011106713.tif 000009
【図８】
2011106713.tif 000010